(57)【要約】【課題】入所者の退出を防止するとともに来訪者の退出時に管理人による確認を必要としない非接触退出管理システムを提供する。【解決手段】非接触退出管理システムは、入退出口に設けられる扉と、利用者の個人識別データが記憶されるカードを発行する登録装置と、登録装置から送られる個人識別データが記憶される記憶部、利用者が所持するカードから個人識別データを読み取った情報読取部、読み取られた個人識別データと同一の個人識別データが記憶部に記憶されているとき該利用者の退出を許可して蓋開放信号をカード回収部に送信する退出許可部を有するカードリーダー部と、蓋開放信号に従い蓋を移動して投入口を一旦開放状態にする投入口開閉部、投入口からのカードの投入を検出するカードセンサ、カードの投入が検出されたとき扉解錠信号を扉駆動装置に送信する扉解錠部を有するカード回収部と、扉解錠信号により扉の開閉駆動する扉駆動装置と、を有する。【選択図】図２
2005336730.tif 000002
【特許請求の範囲】
【請求項１】
入退出口に設けられる扉と、
利用者に係わる個人識別データが記憶される携帯情報記憶媒体を発行する登録装置と、
上記登録装置から送られる上記個人識別データが記憶される記憶部、利用者が所持する上記携帯情報記憶媒体から上記個人識別データを読み取る情報読取部、読み取った個人識別データと同一の個人識別データが上記記憶部に記憶されているとき該利用者の退出を許可して蓋開放信号をカード回収部に送信する退出許可部を有するカードリーダー部と、
上記蓋開放信号に従い蓋を移動して投入口を一旦開放状態にする投入口開閉部、上記投入口からの上記携帯情報記憶媒体の投入を検出するカードセンサ、上記携帯情報記憶媒体の投入が検出されるとき扉解錠信号を扉駆動装置に送信する扉解錠部を有する上記カード回収部と、
上記扉解錠信号に基づいて上記扉を開くことができるように上記扉を解錠する上記扉駆動装置と、
を備えることを特徴とする非接触退出管理システム。
【請求項２】
上記扉の施設内側に備えられ、利用者が上記扉に近づいたことを検知する人感センサを備え、
上記扉駆動装置は、上記人感センサにより利用者が検知されたとき上記解錠された扉を開くことを特徴とする請求項１に記載する非接触退出管理システム。
【請求項３】
上記扉駆動装置は、上記扉解錠信号に基づいて上記扉を解錠するとともに上記扉を開くことを特徴とする請求項１に記載する非接触退出管理システム。
【発明の詳細な説明】
【技術分野】
【０００１】
この発明は、老人ホームなどの施設における退出者の退出管理を行う非接触退出管理システムに関するものである。
【背景技術】
【０００２】
従来の退室管理システムは、訪問者を確認した後に、訪問者に渡され、訪問者が携帯するカードと、カードと非接触で信号を送受する情報送受手段と、情報送受手段を内部に設置可能な容器と、扉開閉用センサとを有する。カードは、内部に電磁波を検知する検知部と、電磁波を検知した場合に信号を送信する信号送信部とを有し、情報送受手段は、電磁波を発生する電磁波発生部と、扉開閉用センサを能動状態と非能動状態に切り替えるセンサ切替信号出力部とを有し、容器は、情報記録媒体挿入口と、情報記録媒体回収部とを有する。情報送受手段は、容器内に配置され、カードが容器中に挿入されることにより、カードからの信号を受信し、センサ切替信号出力部により扉開閉用センサを能動状態に切り替え、扉開閉用センサが訪問者を検知することにより、扉を開放する（例えば、特許文献１参照。）。
【０００３】
【特許文献１】特許第３０５９４３１号公報
【発明の開示】
【発明が解決しようとする課題】
【０００４】
しかし、従来の非接触退出管理システムでは、カードリーダー部とカード回収部とが一体となっているため、退出者が一旦カードリーダー部にカードを投入すると、カードがカード回収部に落ちてしまい、カードリーダー部で誤動作が発生したとき、退出者が退出することができなくなるという問題がある。
また、退出者が誤って別のカードを入れてしまうと、カード回収部に回収されてしまい、管理人を呼び出して返却して貰わなければならず手続きが煩雑となるという問題がある。
【０００５】
この発明の目的は、施設の入所者の退出が防止できるとともに来訪者の退出時に管理人による確認を必要としない非接触退出管理システムを提供することである。
【課題を解決するための手段】
【０００６】
この発明に係わる非接触退出管理システムは、入退出口に設けられる扉と、利用者に係わる個人識別データが記憶される携帯情報記憶媒体を発行する登録装置と、上記登録装置から送られる上記個人識別データが記憶される記憶部、利用者が所持する上記携帯情報記憶媒体から上記個人識別データを読み取る情報読取部、読み取った個人識別データと同一の個人識別データが上記記憶部に記憶されているとき該利用者の退出を許可して蓋開放信号をカード回収部に送信する退出許可部を有するカードリーダー部と、上記蓋開放信号に従い蓋を移動して投入口を一旦開放状態にする投入口開閉部、上記投入口からの上記携帯情報記憶媒体の投入を検出するカードセンサ、上記携帯情報記憶媒体の投入が検出されるとき扉解錠信号を扉駆動装置に送信する扉解錠部を有する上記カード回収部と、上記扉解錠信号に基づいて上記扉を開くことができるように上記扉を解錠する上記扉駆動装置と、を備える。
【発明の効果】
【０００７】
この発明の非接触退出管理システムに係わる効果は、来訪者の個人認証とカードの回収とが順次行われるので、カードリーダー部で誤動作が発生しても、カードが取り込まれてしまう事態は避けられ、再度カードリーダー部にカードを掛ければ確実に来訪者が退出することができる。
また、間違ったカードがカードリーダー部に掛けられても退出が許可されないだけですみ、再度正しいカードをカードリーダー部に掛ければ確実に来訪者の退出が可能となる。
【発明を実施するための最良の形態】
【０００８】
実施の形態１．
図１は、この発明の実施の形態１に係わる非接触退出管理システムが設置された入退室口の様子を示す図である。図２は、実施の形態１に係わる非接触退出管理システムのカードリーダー部とカード回収部との構成を示すブロック図である。図３は、実施の形態１に係わるカードリーダー部の機能ブロック図である。図４は、実施の形態１に係わるカードの機能ブロック図である。
【０００９】
実施の形態１に係わる非接触退出管理システム１は、図１に示すように、施設の屋外２と施設内３との間を風除室４により区切られる入退出口５に設置される。
非接触退出管理システム１は、風除室４に隣接する受付室６に設置され、施設に来訪する利用者（以下、利用者と称す。）に携帯情報記憶媒体（以下、カードと称す。）７を発行する登録装置８、入退出口５を２重に開閉する扉９ａ、９ｂ、扉９ａ、９ｂを開閉制御する扉駆動装置１０、扉９ａ、９ｂの両側に設けられる人感センサ１１ａ〜１１ｄ、施設内３に設置されるカードリーダー部１２およびカード回収部１３を有する。
【００１０】
登録装置８は、管理人が利用者から入手する名前や日付などからなる個人識別データをカードリーダー部１２に送信するとともにその個人識別データをカード７に書き込んで利用者に手渡す。
さらに、人感センサ１１ａ〜１１ｄは、扉９ａ、９ｂへの利用者の接近を検知してオン信号を発し、そのオン信号を図示しない信号線を介して扉駆動装置１０に送信する。
さらに、扉駆動装置１０は、解錠された扉９ａ、９ｂを人感センサ１１ａ、１１ｂ、１１ｃのオン信号が入力されたとき所定の時間の間開放し、その後閉める。
また、扉駆動装置１０は、カード回収部１３から送信される扉解錠信号を受信したとき、扉９ｂを所定の時間の間解錠し、その後鎖錠する。
【００１１】
なお、人感センサ１１ａ〜１１ｄの種類は、特に限定されるものではなく、例えば、反射型の光スイッチとし、扉９ａ、９ｂの面と平行に一方側に投光器と受光器とを、他方側に反射器を取り付けることにより、その間に人が入って光を遮断すると光スイッチがオンし、ドアを開く。その他にも、赤外線センサ、床に敷設したマットスイッチなどを用いてもよい。
【００１２】
次に、カードリーダー部１２とカード回収部１３とについて図２を参照して説明する。
カードリーダー部１２は、カード７から個人識別データを読み取り、その個人識別データと一致する記憶部３２に記憶される個人識別データがあるとき退出を許可し、蓋開放信号をカード回収部１３に送信する。
カード回収部１３は、カードリーダー部１２からの蓋開放信号を受信するとき小形モータ２１を駆動し、蓋２２を移動して投入口２３を開放状態にする投入口開閉部２４、投光器２５と受光器２６とにより構成され、開放状態の投入口２３からカード７が投入されたことを検出するカードセンサ２７、カード７の投入が検出されたとき扉解錠信号を扉駆動装置１０に送信する扉解錠部２８を有する。投入口開閉部２４は、投入口２３の開放後所定の時間経過後蓋２２を移動して投入口２３を閉鎖状態にする。投入口開閉部２４と扉解錠部２８は、ＣＰＵ、ＲＡＭ、ＲＯＭ、インタフェース回路を有するコンピュータ２９から構成されている。なお、蓋２２の移動のために、必ずしも小形モータ２１を使用しなくてもよく、ソレノイドなどを使用してもよい。
カードセンサ２７は、カード７が投入口２３から投入されたとき、投入口２３の下方に位置する光線（図２の点線）がカード７によって遮蔽され、光線の遮蔽を受光器２６が検知して、カード７が投入されたことを検出する。
【００１３】
次に、カードリーダー部１２の機能について図３を参照して説明する。なお、以下の説明では、カード７とカードリーダー部１２との間の情報の授受を無線により行う例について説明するが、必ずしもこれに限るものではなく、例えば、磁気読み取り、端子間の接触による有線伝送などの方式を用いてもよい。
カードリーダー部１２は、カード７から個人識別データを読み取る情報読取部３１、登録装置８から伝送されてきた利用者の個人識別データが記憶されている記憶部３２、情報読取部３１で読み取られた個人識別データと一致する記憶部３２に記憶されている個人識別データの有無を判断し、一致する個人識別データがあると判断したとき蓋開放信号を生成する退出許可部３３、蓋開放信号をカード回収部１３に送信する制御インタフェース３４、登録装置８との間で個人識別データの送受を行うデータインタフェース３５を有する。退出許可部３３は、利用者の退出を許可したときその利用者の個人識別データを記憶部３２から消去する。記憶部３２、退出許可部３３、制御インターフェース３４およびデータインタフェース３５は、ＣＰＵ、ＲＡＭ、ＲＯＭ、インタフェース回路を有するコンピュータから構成されている。
【００１４】
情報読取部３１は、カード７に電力を送信する高周波発生部４１、カード７のメモリ４７（図４）から個人識別データを読み出して送信することを指令する信号を送信し、カード７から送信されてきた個人識別データを受信する送受信部４２を有している。
退出許可部３３は、登録装置８から送信され、記憶部３２に記憶されている個人識別データを読み出して、その中に情報読取部３１で読み取られた個人識別データと同じデータがあるか否かを判断する。あるときそのカード７を所持する利用者の退出を許可してよいので、カード７を返却したとき退出できるように蓋開放信号を制御インタフェース３４を介してカード回収部１３に送信する。
【００１５】
また、退出許可部３３は、利用者の退出を許可したとき、記憶部３２に記憶されているその利用者の個人識別データを消去する。このように個人識別データが消去されると、利用者が忘れてカード７を返却せずに持ち帰り、次の来訪の機会に使用しても、そのカード７に記憶されている個人識別データが記憶部３２に記憶されていないので、カード７を使用することができない。
【００１６】
次に、カード７の機能について図４を参照して説明する。
実施の形態１のカード７について、非接触型ＩＣカードを例に挙げて説明する。なお、カード７として、接触型ＩＣカード、磁気カード、携帯電話など携帯可能でデータが記憶でき、カードリーダー部１２との間でデータの授受を行うことができるものであればよい。
カード７は、電磁誘導により電力を受けるとともに電波を受信するコイル４６、データが記憶されているメモリ４７、コイル４６により受電した電力が供給され、受信した電波に基づいてメモリ４７にデータを記憶するとともに記憶されているデータを読み出すデータ処理部４８、情報読取部３１から送信された電波を受信するとともにメモリ４７から読み出されたデータを電波として送信する送受信部４９を有している。なお、このような構成のカードは公知である。
【００１７】
次に、図５を参照して退出しようとしている利用者に対応する手順について説明する。図５は、退出しようとする利用者に対応する処理手順のフローチャートである。
ステップ１０１で、情報読取部３１は、カード７からの個人識別データの入力の有無を判断する。個人識別データの入力があるときステップ１０２へ進む。個人識別データの入力がないときステップ１０１を繰り返す。
ステップ１０２で、退出許可部３３は、カード７から入力された個人識別データが記憶部３２に一致する個人識別データがあるか否かにより、個人識別データを入力した利用者の退出を許可できるか否かを判断する。許可できるときステップ１０３へ進み、許可できないときステップ１０１へ戻る。
ステップ１０３で、退出許可部３３は、蓋開放信号をカード回収部１３に送信する。同時に、退出許可部３３は、退出が許可された利用者の個人識別データを記憶部３２から削除する。
ステップ１０４で、蓋開放信号により、小形モータ２１を駆動して、蓋２２を移動して投入口２３を開放状態にする。
ステップ１０５で、カードセンサ２７は、カード７の投入の有無を検出する。カード７の投入が無いときステップ１０５を繰り返す。カード７の投入があるときステップ１０６へ進む。
ステップ１０６で、扉解錠部２８は、扉解錠信号を扉駆動装置１０に送信する。扉駆動装置１０は、扉解錠信号に従い扉９ｂを解錠する。
ステップ１０７で、扉駆動装置１０は、人感センサ１１ｄからの利用者検知の信号の有無を判断する。利用者検知の信号があるときステップ１０８へ進む。利用者検知の信号がないときステップ１０７を繰り返す。
ステップ１０８で、扉駆動装置１０は、扉９ｂを所定の時間の間開き、その後閉めてステップ１０１へ戻る。
【００１８】
このような非接触退出管理システムは、来訪者の個人認証とカードの回収とが順次行われるので、カードリーダー部で誤動作が発生しても、カードが取り込まれてしまう事態は避けられ、再度カードリーダー部にカードを掛ければ確実に来訪者の退出が可能となる。
また、間違ったカードがカードリーダー部に掛けられても退出が許可されないだけですみ、再度正しいカードをカードリーダー部に掛ければ確実に来訪者の退出が可能となる。
また、来訪者が退出するとき記憶部３２に記憶されている当該来訪者の個人識別データが消去されるので、再度カード７の使用を防ぐことができる。
【００１９】
なお、実施の形態１の扉として自動ドアを例に挙げて説明したが、鎖錠解錠機能だけを有する手動ドアでも同様な効果が得られる。
【００２０】
実施の形態２．
この発明の実施の形態２に係わる非接触退出管理システムは、実施の形態１の非接触退出管理システム１とカード７の検出と扉９ｂの開きとの連関が異なっていて、その他は同様である。以下の説明では実施の形態１の非接触退出管理システム１と同様な部分に同じ符号を付記して説明する。
利用者の退出に際し、カードリーダー部１２により個人識別データに基づく退出の許可が行われ、それに従いカード回収部１３の投入口２３が開放状態になり、利用者がカード７を投入したことが検出されたとき、扉解錠部２８は扉解錠信号を扉駆動装置１０に送信する。
扉駆動装置１０は、扉解錠信号を受信したとき、扉９ｂを解錠し、続けて扉９ｂを開く。
【００２１】
このような非接触退出管理システムは、カード７の投入が検出されたとき直接扉９ｂが開かれるので、人感センサ１１ｄを省くことができ、安価なシステムになる。
【図面の簡単な説明】
【００２２】
【図１】この発明の実施の形態１に係わる非接触退出管理システムが設置されている入退出口の様子を示す図である。
【図２】実施の形態１に係わるカードリーダー部とカード回収部の構成を示すブロック図である。
【図３】実施の形態１のカードリーダー部の機能ブロック図である。
【図４】実施の形態１のカードの機能ブロック図である。
【図５】退出しようとする利用者に対応する処理手順のフローチャートである。
【符号の説明】
【００２３】
１  非接触退出管理システム、２  （施設の）屋外、３  施設内、４  風除室、５  入退出口、６  受付室、７  携帯情報記憶媒体（カード）、８  登録装置、９ａ、９ｂ  扉、１０  扉駆動装置、１１ａ〜１１ｄ  人感センサ、１２  カードリーダー部、１３  カード回収部、２１  小形モータ、２２  蓋、２３  投入口、２４  投入口開閉部、２５  投光器、２６  受光器、２７  カードセンサ、２８  扉解錠部、２９  コンピュータ、３１  情報読取部、３２  記憶部、３３  退出許可部、３４  制御インタフェース、３５  データインタフェース、４１  高周波発生部、４２、４９  送受信部、４６  コイル、４７  メモリ、４８  データ処理部。
【図１】
2005336730.tif 000003
【図２】
2005336730.tif 000004
【図３】
2005336730.tif 000005
【図４】
2005336730.tif 000006
【図５】
2005336730.tif 000007